(57)【要約】【課題】  畦形成箇所に土を盛り上げ状態に供給する土盛装置と、土盛装置の後方に設けられて畦上面部と側面部を回転する回転体により成形していく畦形成機において、回転体であるディスクは分割して部品の交換ができ、畦形成性能の良い畦形成機を提供する。【解決手段】  畦形成装置の回転体であるディスクは、畦上面を成形する円筒ディスクと、畦側面を成形する円錐状ディスクと、円筒ディスクと円錐状ディスクの中間部に位置した中間ディスクとで分解可能に一体で構成した。また、円錐状ディスクの表面は、回転中心に向けた放射状の分割片を回転方向前方側に後方側を重ねて着脱可能に固着して構成した。【選択図】      図３
2006136206.tif 000002
【特許請求の範囲】
【請求項１】
畦形成箇所に沿って移動し、畦形成箇所に土を盛り上げ状態に供給する土盛装置と、土盛装置の進行方向の後方に設置された畦形成装置とを有し、畦形成装置は、土を盛り上げ状態とされた畦形成箇所上を回転しながら通過させる円筒ディスクと、円筒ディスクの回転駆動力供給側に取り付けられ回転駆動力供給側にいく程径大となり、円筒ディスクの回転中心に向けた傾斜面を有する円錐状ディスクと、該円錐状ディスクと前記円筒ディスクの中間部に位置させた中間ディスクとの３分割のユニットで構成されていて、それぞれ分離可能に固着されていることを特徴とする畦形成機。
【請求項２】
前記円錐状ディスクの表面は回転中心に向けた放射状の分割片で構成されていて、分割片は側面視において略円弧状の曲面をなし、互いに隣接する分割片の回転方向前方側に後端部を重ね合せて連結され、それぞれ着脱可能にディスクフレームに固着されていることを特徴とする請求項１記載の畦形成機。
【発明の詳細な説明】
【技術分野】
【０００１】
本発明は、トラクタに連結して旧畦に平行に走行し、旧畦と旧畦下方の水田圃場面の一部を削り、この削り取った土を旧畦上に盛土し、盛土された土を回転する畦形成装置により締め固めて、旧畦上に新畦を形成する畦形成機の畦形成ディスクの構成に関する。
【背景技術】
【０００２】
従来の畦形成機の畦形成ディスクの構成として、同一出願人による特許第３１４８６７８号公報によるものが知られている。この公報による畦形成機は、トラクタに装着され畦形成箇所に沿って移動され、畦形成箇所に土を盛り上げ状態に供給する土盛装置と、土盛装置の移動方向の後方に設置される畦形成装置とを有し、畦形成装置は土を盛り上げ状態とされた畦形成箇所の上を回転しながら通過させる円筒回転体と、円筒回転体の回転駆動力供給側に取り付けられ回転駆動供給側にいく程径大となり、円筒回転体の中央に向けた傾斜面を有するとともに、表面は放射状の分割片に分割され各々の分割片は進行方向に対して前進角を設けてなり、隣接する分割片の相互は逃げ角をもち、側面視にてジグザグ状に連結される円錐回転体とからなるものである。
【特許文献１】特許第３１４８６７８号公報
【発明の開示】
【発明が解決しようとする課題】
【０００３】
従来の畦形成装置は、畦と直交して回転して畦上面を通過する円筒状回転具と、畦側面を通過し畦側面を形成する円錐面を有する内側回転板とからなり、前記畦形成回転体の周速を走行車の走行速度よりも速く設定し、スリップ作用によって畦を締め固めようとするものである。前記従来技術における畦形成装置では、回転体であるディスクは常にスリップを起こしながらの回転をするため、長期間使用していると摩耗のため部品の交換が必要となる。しかし、回転体であるディスクは同径の円筒ではないため、回転軸芯に近い側と離れた側では周速が異なり摩耗の度合も異なることとなるが、従来においては一部分の摩耗でも摩耗部分のみの交換ができないため、一体となっているディスク全体を交換することとなり、非常に不経済である問題があった。
【０００４】
また、畦形成時の畦上面と側面の交差部分の形状は、単純に上面と側面の平面部を交差させた鋭角にすると崩れやすくなるため、土壌の違いや使用地域により要望される形状が異なり、角部を面取状に傾斜させたものやＲ形状のもの等や、これらの大きさの異なるもの等が多種類要望されていた。このため、それぞれの形状に形成されたディスクを用意し対応する必要があった。また、使用者は同一機で角部の形状を変更する場合、一体で構成されたディスクが複数必要となり不経済であった。
【０００５】
このため本発明の目的は、摩耗度合により分割して部品の交換が可能で、簡単に畦の上面と側面の交差部の形状を変更できて、畦形成性能の良い畦形成ディスクを有した畦形成機を提供することにある。
【課題を解決するための手段】
【０００６】
上記課題を解決するために、畦形成箇所に沿って移動し、畦形成箇所に土を盛り上げ状態に供給する土盛装置と、土盛装置の進行方向の後方に設置された畦形成装置とを有し、畦形成装置は、土を盛り上げ状態とされた畦形成箇所上を回転しながら通過させる円筒ディスクと、円筒ディスクの回転駆動力供給側に取り付けられ回転駆動力供給側にいく程径大となり、円筒ディスクの回転中心に向けた傾斜面を有する円錐状ディスクと、該円錐状ディスクと前記円筒ディスクの中間部に位置させた中間ディスクとの３分割のユニットで構成されていて、それぞれ分離可能に固着されていることを特徴とする畦形成機を提供する。
【０００７】
また、上記畦形成機において、前記円錐状ディスクの表面は回転中心に向けた放射状の分割片で構成されていて、分割片は側面視において略円弧状の曲面をなし、互いに隣接する分割片の回転方向前方側に後端部を重ね合せて連結され、それぞれ着脱可能にディスクフレームに固着されていることを特徴とする畦形成機を提供したものである。
【発明の効果】
【０００８】
以上のように構成したことにより、畦形成装置の回転体であるディスクは円筒ディスクと円錐状ディスクとこれを連結する中間部の中間ディスクとで構成されていて、それぞれ分離可能に固着されて一体となっているため、摩耗による部品交換の際は、摩耗度合により部分的にそれぞれ分割して交換ができるため非常に経済的である。
【０００９】
また、回転体中間部の中間ディスクは、畦形成時の畦上面と側面の交差部分を成形する部分となるが、土壌の違いや使用地域により要望される形状が異なる場合には、中間ディスク部のみを要望する形状のものに交換することで簡単に変更することができ、同一機において交差部分の形状を変更したい場合は、希望する形状の中間ディスクのみを交換すれば良い。
【００１０】
また、円錐状ディスクの表面は回転中心に向けた放射状の分割片で構成されていて、それぞれ着脱可能にディスクフレームに固着してあることにより、障害物等によりディスクの一部が損傷した場合においても、回転体全体を交換せずに損傷した部分の分割片のみを交換すれば良いため、非常に経済的である。
【００１１】
さらに、円錐状ディスクの表面の分割片は、側面視において略円弧状の曲面をなし、互いに隣接する分割片の回転方向前方側に後端部を重ね合せて連結し構成されているため、回転方向に対し前方が低く後方が高い前進角がそれぞれ設けられ、隣接する分割片が連続して回転することにより、畦形成面に断続圧が作用し土離れも良く、空気や水分が逃げやすくなり堅く締め固められた畦を形成できる。
【発明を実施するための最良の形態】
【００１２】
以下、本発明の実施の形態を図面に基づいて説明する。図１は本発明を実施した畦形成機の平面図、図２は同畦形成機の畦形成装置を一部断面した斜視図、図３は畦形成装置の要部断面図を示したものである。
【００１３】
図１において、畦形成機の一例として、１の装着部、２の土盛装置、３の畦形成装置から構成される。１の装着部は、水平方向に延設したフレーム１１と、このフレーム１１より前方に突設され、図示されていないが走行車であるトラクタの三点リンクに装着される装着マスト１２と、フレーム１１の略中央部にはミッションケース１３が配置され構成される。
【００１４】
ミッションケース１３には前方に向けた入力軸１３ａが設けられ、この入力軸１３ａは、図示されていないがトラクタＰＴＯ軸よりユニバーサルジョイント１４を介しトラクタの駆動力を畦形成機へ入力するものである。
【００１５】
２の土盛装置は、砕土爪２１を爪軸２２の軸芯に対し放射状に複数設けたロータリ２３と、このロータリ２３を回転駆動するためのロータリ２３の一端を固着するロータリ出力軸２４を有したロータリ駆動ケース２５により構成され、前記装着部１のフレーム１１の一端にロータリ２３を作業進行方向に対し前方に配置するよう支持される。前記ロータリ駆動ケース２５の内部には、チェーン減速部２６が備えてある。
【００１６】
３の畦形成装置は、前記土盛装置２の後方に配置され、畦の上面を形成する円筒ディス３１と、円筒ディスク３１の回転駆動力供給側に取り付けられ回転駆動力供給側にいく程径大となり、円筒ディスク３１の回転中心に向けた傾斜面を有する円錐状ディスク３２と、円錐状ディスク３２と前記円筒ディスク３１とを連結する中間ディスク３７とがそれぞれ分離可能に固着され一体となり回転し、旧畦上に土盛装置２により盛土された土を締め固めて新畦を形成していく。
【００１７】
３３は畦形成出力軸で、畦形成装置３を駆動する。畦形成出力軸３３は畦形成駆動ケース３４からの動力で駆動され、畦形成駆動ケース３４は前記装着部１のフレーム１１の一端に前記ロータリ駆動ケース２５とともに支持される。前記畦形成駆動ケース３４の内部には、チェーン減速部３５が備えてある。
【００１８】
駆動伝達について説明すると、前記ミッションケース１３より前方に突設させた入力軸１３ａに、図示されていないがトラクタＰＴＯ軸よりユニバーサルジョイント１４を介し駆動力が入力されると、ミッションケース１３の内部に設けたベベルギヤ１３ｂ，１３ｃを介し減速され、水平方向に延設したパイプ体にて構成されたフレーム１１の内部に回転可能に設けた駆動軸１３ｄへと伝達する。
【００１９】
ロータリ駆動ケース２５内部に備えたチェーン減速部２６は、前記駆動軸１３ｄに固着されたスプロケット２６ａと、前記ロータリ出力軸２４の内方端に固着したスプロケット２６ｂと、これらスプロケット２６ａ，２６ｂに巻架したチェーン２６ｃから構成され駆動軸１３ｄが駆動することにより、ロータリ出力軸２４に固着されたロータリ２３をチェーン減速部２６により減速し回転させる。
【００２０】
畦形成駆動ケース３４の内部に備えたチェーン減速部３５は、前記駆動軸１３ｄに固着したスプロケット３５ａと、畦形成駆動ケース３４から水平方向に突出する畦形成出力軸３３の内方端に固着したスプロケット３５ｂと、これらスプロケット３５ａ，３５ｂに巻架したチェーン３５ｃから構成され、駆動軸１３ｄが駆動することにより、畦形成出力軸３３に固着された畦形成装置３をチェーン減速部３５によりさらに減速し回転させる。
【００２１】
円錐状ディスク３２は、円錐形状を呈し円錐面を放射状に分割した分割片３２ｃを連結して組み合せ構成されている。
【００２２】
図２及び図３に基づいて、畦形成装置３について説明する。
土盛装置２により盛土された土を回転しながら締め固めて畦を形成していく畦形成装置３は、前記畦形成出力軸３３の外方端部に取り付けられたボス３１ａに、畦上面を成形する円筒ディスク３１と畦側面を成形する円錐状ディスク３２と、この円筒ディスク３１と円錐状ディスク３２との中間部にあって畦の上面と側面部の交差部分を成形する中間ディスク３７が取り付けられ構成されている。
【００２３】
円錐状ディスク３２は、ボス３１ａの外周部より畦形成出力軸３３側となる外方へ向け除々に径大となる円錐面を形成するよう放射状に複数設けたスポーク３２ａと、このスポーク３２ａの外周端を連結するリング３２ｂとスポーク３２ａを基盤とし、円錐面となる表面を放射状に分割し連続させた複数の分割片３２ｃを着脱自在に取り付け構成されている。これにより分割片３２ｃはそれぞれ単品で交換が可能で損傷等の場合、損傷部の分割片のみを交換すれば良い。
【００２４】
分割片３２ｃは、回転方向ｆに対して後端部は隣接する分割片３２ｃの始端部に重ね合せてボルト３６によって組み合せスポーク３２ａに固着されている。これにより、分割片３２ｃは回転方向に対し前方が低く後方が高い前進角がそれぞれ設けられ、隣接する分割片３２ｃが連続して回転することにより畦形成面に断続圧が作用し、堅く締め固められた畦を形成できる。
【００２５】
中間ディスク３７は、内側に前記ボス３１ａと嵌合する円筒状のボス３７ａを設け、外周部に畦面を形成する円筒ディスク３１側から円錐状ディスク３２側にいく程径大となる末広がりの円錐面を設けている。
【００２６】
中間ディスク３７の外周部の形状は、図３において二点鎖線で示すようなＲ形状や大きい面取り又は面取り角度を変えた形状等のものを用意することで、使用地域に合った形状の畦形状に対応できる。
【００２７】
円筒ディスク３１側の端面には、円筒状に構成された円筒ディスク３１の内側端部が嵌合され、中間ディスク３７部を貫通した連結ボルト３８によりボス３１ａに中間ディスク３７のボス３７ａを挟み込んで取り付けられ、これらが一体で回転する。
【図面の簡単な説明】
【００２８】
【図１】本発明を実施した畦形成機の平面図
【図２】同畦形成機の畦形成装置を一部断面した斜視図
【図３】畦形成装置の要部断面図
【符号の説明】
【００２９】
１      装着部
１１    フレーム
１２    装着マスト
１３    ミッションケース
１３ａ  入力軸
１３ｂ，１３ｃ    ベベルギヤ
１３ｄ  駆動軸
１４    ユニバーサルジョイント
２      土盛装置
２１    砕土爪
２２    爪軸
２３    ロータリ
２４    ロータリ出力軸
２５    ロータリ駆動ケース
２６    チェーン減速部
２６ａ，２６ｂ    スプロケット
２６ｃ  チェーン
３      畦形成装置
３１    円筒ディスク
３１ａ  ボス
３２    円錐状ディスク
３２ａ  スポーク
３２ｂ  リング
３２ｃ  分割片
３３    畦形成出力軸
３４    畦形成駆動ケース
３５    チェーン減速部
３５ａ，３５ｂ    スプロケット
３５ｃ  チェーン
３６    ボルト
３７    中間ディスク
３８    連結ボルト
【図１】
2006136206.tif 000003
【図２】
2006136206.tif 000004
【図３】
2006136206.tif 000005